(57)【要約】      （修正有）【課題】シーリングテープが包装材料の適正な位置に接合され、良好な縦シールを有する包装充填容器を得ることができる包装充填装置を提供する。【解決手段】帯状包装積層材料１の縁部１ａにシーリングテープ２を接合し、帯状包装積層材料を筒状に成形して形成される縦シール部のシーリングテープ２を重ね接合し、内容物を充填して横シールし、筒状包装積層材料を切断分離して容器に包装充填する装置であって、搬送される帯状包装積層材料から一定の距離を置いて、センサヘッド面がシーリングテープ２が接合された帯状包装積層材料の縁部１ａを被う第１渦電流式変位センサ１６と、センサヘッド面が帯状包装積層材料の中央を被う第２渦電流式変位センサ１７と、第１渦電流式変位センサ１６と第２渦電流式変位センサ１７からの信号に基づいて、帯状包装積層材料の縁部の位置を計測する位置計測手段１８とを有する。【選択図】図１
2008143561.tif 000002
【特許請求の範囲】
【請求項１】
搬送される帯状包装積層材料の縁部に、該帯状包装積層材料を筒状に成形して形成される縦シール部の内面を保護するシーリングテープを重ね接合し、内容物を充填して横シールし、該筒状包装積層材料を切断分離して容器に包装充填する装置であって、
帯状包装積層材料が、熱可塑性樹脂外層、紙基材層、金属箔層及び熱可塑性樹脂内層とを含み、
シーリングテープが、非金属材料からなり、少なくとも片方の外層にシール性材料からなり、
センサヘッド面が、搬送される帯状包装積層材料から一定の距離を置いて、該シーリングテープが接合された該帯状包装積層材料の縁部の少なくとも辺端を、固定位置から被う第１渦電流式変位センサと、
センサヘッド面が、該第１渦電流式変位センサの近傍であって、搬送される帯状包装積層材料から一定の距離を置いて、該帯状包装積層材料中央を、固定位置から被う第２渦電流式変位センサと、
該第１渦電流式変位センサからの信号と第２渦電流式変位センサからの信号とに基づいて該帯状包装積層材料の縁部の位置を計測する位置計測手段と、
を有することを特徴とする包装充填装置。
【請求項２】
搬送される該帯状包装積層材料の近傍の雰囲気温度を計測する温度センサを有し、該位置計測手段が、温度センサからの信号と、該第１渦電流式変位センサからの信号と第２渦電流式変位センサからの信号とに基づいて該帯状包装積層材料の縁部の位置を計測する、請求項１記載の包装充填装置。
【請求項３】
該位置計測手段からの出力に基づいて、包装充填装置で連続的に製造された容器から、不良品を排出する排出手段を有する、請求項１記載の包装充填装置。
【請求項４】
該シーリングテープが接合される直前の該帯状包装積層材料の縁部の辺端を、検出する第１の検出部と、
該帯状包装積層材料の縁部に接合される直前のシーリングテープの辺端を、検出する第２の検出部と、
該第１、第２の検出部の出力に基づいて、該シーリングテープ及び／又は該帯状包装積層材料の位置を計算して位置矯正を判定する矯正判定手段と、
該矯正判定手段の判定結果に基づいて、該シーリングテープ及び／又は該帯状包装積層材料の位置を矯正する位置矯正処理手段とを有する、請求項１記載の包装充填装置。
【発明の詳細な説明】
【技術分野】
【０００１】
本発明は、飲料などを充填する包装充填装置に関する。
【背景技術】
【０００２】
牛乳、ミネラルウォーター、茶、ジュース、スープ、アルコール類等の流動食品を収容する包装容器を製造する場合、ウェブ状（帯状）の包装積層材料が使用され、該包装積層材料がヒートシール、超音波シール等によってシールされることにより、包装容器が形成される。例えば、図２に示すような包装充填装置において、帯状包装積層材料の縁部にシーリングテープを前もって接着し、包装積層材料をチューブ状に成形し、チューブの内側から、包装積層材料の両縁部同士を、シーリングテープと共に押し当てて縦シール装置によって長手方向（縦方向）にシールした後、チューブ状の包装積層材料の中に液体食品を充填しながら、横シール装置によって横方向にシールして切断し、枕状の原型容器を形成し、該原型容器を更に所定の形状に成形して包装容器を完成させる。（例えば、特許文献１参照。）。
【０００３】
前記包装充填装置において、まず、帯状包装積層材料の縁部に、第２の帯状包装材料であるシーリングテープを前もって接合する。次いで、チューブ状に成形された包装積層材料の両縁部同士を、縦シール装置によってシーリングテープと共に押し当てて縦シールする。
帯状包装積層材料の縁部面に接合する際、例えば、帯状包装積層材料と第２帯状包装材料とを挟んで、一方側に、プレッシャローラを回転自在に配設して圧し、他方に、プレッシャローラによる圧力を受け、それに対向し、押さえ支持するようにカウンタローラを回転自在に配設する。
したがって、包装積層材料が搬送されるに伴って、前記プレッシャローラ及びカウンタローラが包装積層材料及びシーリングテープなどの第２の帯状包装材料を挟んだ状態で押圧されて回転させ、合せて接着する面がシールされ接着される。
【特許文献１】特開２００１−１８９０９号公報
【発明の開示】
【発明が解決しようとする課題】
【０００４】
包装充填製造装置においては、シーリングテープが適正な位置に貼着されないと、縦シールを良好に行うことができず、容器が不良品となる恐れがある。
包装積層材料は、必ずしも、正確な寸法で裁断されていないので、搬送される包装材料の縁の位置が変化してしまうことがあり、その場合、シーリングテープを適正な位置に貼着することができなくなる恐れがある。
また、リール状に巻かれたシーリングテープが繰り出されると、リール径の大小によって、シーリングテープに加わるテンションが変化する。その結果、包装材料に対するシーリングテープの位置が微妙に変化し、シーリングテープを適正な位置に貼着することができなくなる不都合があり得る。
さらに、シーリングテープは、薄い樹脂フィルムによって形成されるので、ストリップテープが繰り出されるのに伴って、シーリングテープテープの一方の縁が伸びて波打つことがあり、その場合も、シーリングテープを適正な位置に貼着することができなくなる不都合があり得る。
【０００５】
包装充填製造装置が製造中の状態で、搬送される包装材料の縁とシーリングテープの端を位置を計測し、この計測値を基に包装材料が進行方向と直角方向にズレた量と同じだけシーリングテープの貼り付け位置を変位させて、相対的に常に一定の包装材料の位置にシーリングテープを貼り付けて制御することが考えられる。
【０００６】
包装材料の位置及びシーリングテープの貼付けの制御によっても、シーリングテープの貼り付け位置が基準以上ずれ、容器が不良となる恐れがある。
シーリングテープを貼り付けた後の状態での包装材料の端位置の計測は、半透明のシーリングテープが存在するために、包装材料の端位置を正確に計測することが難しい。画像センサ、エッジセンサを用いて計測するが、コストと安定性、メンテナンス性、取付工数、寿命などの観点から問題がある。
【０００７】
この発明は、上述の不都合を解決して、シーリングテープが包装材料の適正な位置に接合され、良好な縦シールを有する包装充填容器を得ることができる包装充填装置を提供することを目的とする。
【課題を解決するための手段】
【０００８】
本発明の包装充填装置は、搬送される帯状包装積層材料の縁部に、帯状包装積層材料を筒状に成形して形成される縦シール部の内面を保護するシーリングテープを重ね接合し、内容物を充填して横シールし、筒状包装積層材料を切断分離して容器に包装充填する装置であって、
帯状包装積層材料が、熱可塑性樹脂外層、紙基材層、金属箔層及び熱可塑性樹脂内層とを含み、シーリングテープが、非金属材料からなり、少なくとも片方の外層にシール性材料からなり、
センサヘッド面が、搬送される帯状包装積層材料から一定の距離を置いて、シーリングテープが接合された帯状包装積層材料の縁部の少なくとも辺端を、固定位置から被う第１渦電流式変位センサと、
センサヘッド面が、第１渦電流式変位センサの近傍であって、搬送される帯状包装積層材料から一定の距離を置いて、帯状包装積層材料中央を、固定位置から被う第２渦電流式変位センサと、
第１渦電流式変位センサからの信号と第２渦電流式変位センサからの信号とに基づいて帯状包装積層材料の縁部の位置を計測する位置計測手段と、を有することを特徴とする。
【０００９】
この発明の好ましい態様において、搬送される帯状包装積層材料の近傍の雰囲気温度を計測する温度センサを有し、位置計測手段が、温度センサからの信号と、第１渦電流式変位センサからの信号と第２渦電流式変位センサからの信号とに基づいて帯状包装積層材料の縁部の位置を計測する。
【００１０】
この発明の好ましい態様において、位置計測手段からの出力に基づいて、包装充填装置で連続的に製造された容器から、不良品を排出する排出手段を有する。
【００１１】
この発明の好ましい態様において、シーリングテープが接合される直前の帯状包装積層材料の縁部の辺端を、検出する第１の検出部と、帯状包装積層材料の縁部に接合される直前のシーリングテープの辺端を、検出する第２の検出部と、第１、第２の検出部の出力に基づいて、シーリングテープ及び／又は帯状包装積層材料の位置を計算して位置矯正を判定する矯正判定手段と、矯正判定手段の判定結果に基づいて、シーリングテープ及び／又は帯状包装積層材料の位置を矯正する位置矯正処理手段とを有する。
【発明の効果】
【００１２】
この発明による包装充填装置は、搬送される帯状包装積層材料の縁部に、帯状包装積層材料を筒状に成形して形成される縦シール部の内面を保護するシーリングテープを重ね接合し、内容物を充填して横シールし、筒状包装積層材料を切断分離して容器に包装充填する。
この装置において、帯状包装積層材料が連続的に装置に供給され、連続的に、内容物が充填され成形された容器が製造される。
【００１３】
本発明の包装充填装置の特徴において、帯状包装積層材料が、熱可塑性樹脂外層、紙基材層、金属箔層及び熱可塑性樹脂内層とを含み、シーリングテープが、非金属材料からなり、少なくとも片方の外層にシール性材料からなる。
帯状包装積層材料の各層が、包装容器の機械的強度、シール性及び防水性などを付与すると共に、金属箔層がガスバリア性及び遮光性を付与し、シーリングテープが筒状包装積層材料の縦シール部の内面を保護して、端面から内容物が浸透することを防止する。更に、後述するように、帯状包装積層材料が金属層を有し、シーリングテープが非金属からなることを渦電流式変位センサ計測に利用する。
【００１４】
本発明の包装充填装置の特徴において、センサヘッド面が、搬送される帯状包装積層材料から一定の距離を置いて、シーリングテープが接合された帯状包装積層材料の縁部の少なくとも辺端を、固定位置から被う第１渦電流式変位センサを有する。
渦電流式変位センサは、非接触変位センサの一種である。コイルとコンデンサで構成した共振回路で作った高周波数の磁界によって測定対象物（金属）に渦電流を発生させ，この渦電流によって磁界が変化することを利用して変位を測定する。コイルと対象物の距離によって決まる磁界の強さを，コイルのインピーダンスの変化として検出する。
この発明において、帯状包装積層材料が金属を有し、シーリングテープが非金属からなる。また、包装積層材料から一定の距離を置いて設置される。従って、この発明において、第１渦電流式変位センサは、帯状包装積層材料のみを測定対象にし、センサヘッド面に対向する金属面積の変化を、すなわち、センサヘッド面に対向する包装積層材料の面積、言い換えれば、包装積層材料の縁部の辺端の変動を検知することができる。
【００１５】
本発明の包装充填装置の特徴において、センサヘッド面が、第１渦電流式変位センサの近傍であって、搬送される帯状包装積層材料から一定の距離を置いて、帯状包装積層材料中央を、固定位置から被う第２渦電流式変位センサを有する。
第２渦電流式変位センサは、上記の第１渦電流式変位センサとほぼ同様の作用機能を有する。ここで、帯状包装積層材料中央とは、包装積層材料の縁部の辺端を含まない意味であり、包装積層材料の縁部を含みこともある。従って、この発明において、第２渦電流式変位センサは、帯状包装積層材料のみを測定対象にし、センサヘッド面に対向する金属面積の変化を、すなわち、センサヘッド面に対向する包装積層材料の面積、言い換えれば、第１渦電流式変位センサの参照としての変動しない包装積層材料を検知する。
【００１６】
本発明の包装充填装置の特徴において、第１渦電流式変位センサからの信号と第２渦電流式変位センサからの信号とに基づいて帯状包装積層材料の縁部の位置を計測する位置計測手段とを有する。
第１渦電流式変位センサからの信号は、変動する包装積層材料の縁部の辺端の位置に対応する信号である。第２渦電流式変位センサからの信号は、変動しない包装積層材料に対応する信号であり、参照として用いることができる。位置計測手段は、包装積層材料の縁部にシーリングテープが接合されていても、それに影響されず、帯状第１渦電流式変位センサからの信号と第２渦電流式変位センサからの信号とに基づいて帯状包装積層材料の縁部の辺端の位置を計測することができる。
【００１７】
この発明の好ましい態様の特徴において、搬送される帯状包装積層材料の近傍の雰囲気温度を計測する温度センサを有し、位置計測手段が、温度センサからの信号と、第１渦電流式変位センサからの信号と第２渦電流式変位センサからの信号とに基づいて帯状包装積層材料の縁部の位置を計測する。
渦電流式変位センサの外乱要因として温度があり、搬送される帯状包装積層材料の近傍の雰囲気温度を温度センサで計測し、この温度要因を排除することができる。
【００１８】
この発明の好ましい態様の特徴において、位置計測手段からの出力に基づいて、包装充填装置で連続的に製造された容器から、不良品を排出する排出手段を有する。
不良品を自動的に製造ラインから排除することができるので、効率的な製造が可能になり、また検査要員を省略することができる。
【００１９】
この発明の好ましい態様の特徴において、シーリングテープが接合される直前の帯状包装積層材料の縁部の辺端を、検出する第１の検出部と、帯状包装積層材料の縁部に接合される直前のシーリングテープの辺端を、検出する第２の検出部と、第１、第２の検出部の出力に基づいて、シーリングテープ及び／又は帯状包装積層材料の位置を計算して位置矯正を判定する矯正判定手段と、矯正判定手段の判定結果に基づいて、シーリングテープ及び／又は帯状包装積層材料の位置を矯正する位置矯正処理手段とを有する。
第１、第２の検出部、矯正判定手段、位置矯正処理手段によって、シーリングテープが包装材料の適正な位置に接合され、良好な縦シールを有する包装充填容器を得ることができ、もし、シーリングテープが包装材料の適正な位置に接合されなくても、不都合を検知することができる。
【発明を実施するための最良の形態】
【００２０】
以下、本発明の実施の形態について図面を参照しながら詳細に説明する。
図１は、この発明による一実施例の包装充填装置の要部の概念ブロック図である。図２は、一実施例の包装充填装置を示す概略斜視図である。図３は、シーリングテープ貼着装置を示す包装充填装置の部分図である。図４は、実施例の動作を説明する包装充填装置の概念部分図である。
【００２１】
図２に示されるように、ウェブ状の帯状包装積層材料１は、リールの状態で包装充填装置に収容される。包装積層材料１は、紙基材、及び該紙基材の両面にポリエチレン樹脂が積層された可撓性の積層体から成り、紙基材とフィルムとの間にアルミニウム箔等から成る金属箔層が形成され、包装容器１４の表面に相当する部分にあらかじめ外装用の印刷が施される。
【００２２】
繰り出された包装積層材料１は、搬送手段としての送り装置によって連続的に搬送され、ベンディングローラ、ダンパローラ等を経て、シーリングテープ貼着装置３に送られ、シーリングテープ貼着装置によって包装積層材料１の一方の縁部に沿ってシーリングテープ２が貼着される。
帯状包装積層材料１の縁部にシーリングテープ２を前もって接合する際、帯状包装積層材料とシーリングテープ２とを挟んで、一方側に、プレッシャローラを回転自在に配設して圧し、他方に、プレッシャローラによる圧力を受け、それに対向し、押さえ支持するようにカウンタローラを回転自在に配設する。
包装積層材料が搬送されるに伴って、プレッシャローラ及びカウンタローラが包装積層材料及びシーリングテープを挟んだ状態で押圧されて回転させ、縦シール部の合せ面がシールされ接着される。
【００２３】
続いて、包装積層材料１は、必要に応じて、プルタブ貼着装置によってプルタブが貼着されてる。包装積層材料１は、殺菌槽４に送られ、殺菌槽４において過酸化水素等の殺菌液によって殺菌される。包装積層材料１は、エアナイフ５に送られ、エアナイフ５によって乾燥させられた後、無菌室４０に送られる。そして、包装積層材料１は、上部成形リング６、その他の成形リングによって徐々に変形させられてチューブ状（筒状）の形状にされる。包装積層材料１は、縦シール装置８によって縦方向にシールされ、充填パイプ７を介して供給された流動性食品が包装積層材料１内に充填される。
【００２４】
チューブ状に成形された包装積層材料の両縁部同士を、縦シール装置によってシーリングテープと共に押し当てて縦シールする際、帯状包装積層材料の一の縁部と他方の縁部とを挟んで、一方側に、プレッシャローラを回転自在に配設して圧し、他方に、プレッシャローラによる圧力を受け、それに対向し、押さえ支持するようにカウンタローラを回転自在に配設する。包装積層材料が搬送されるのに伴って、プレッシャローラ及びカウンタローラが包装積層材料の縁部同士を挟んだ状態で押圧されて回転させ、縦シール部の合せ面がシールされ接着される。
【００２５】
チューブ状包装積層材料は、ローラによって案内され、横シール装置１０に送られ、挟まれて横方向にシールされ、横シールされた包装積層材料１２は、ナイフなどで切断されて枕状の原型容器１３が形成される。そして、原型容器１３は、最終成形搬送装置１５によって搬送されて最終の形状に成形され、流動性食品を収容する包装容器１４が完成する。
【００２６】
包装充填装置例のシーリングテープ貼着装置を図３に示す。
包装積層材料１は、ベンディングローラ、ダンパローラによって連続的に搬送され、シーリングテープ貼着装置３に送られる。包装積層材料１の縁部が１ａが加熱装置３１によって予熱され、シーリングテープ貼着装置によってその縁部に沿ってシーリングテープ２が貼着される。
帯状包装積層材料１とシーリングテープ２とを挟んで、一方側に、プレッシャローラ２０を回転自在に配設して圧し、他方に、プレッシャローラによる圧力を受け、それに対向し、押さえ支持するようにカウンタローラを回転自在に配設する。
包装積層材料が搬送されるに伴って、プレッシャローラ及びカウンタローラが押圧して回転し、縦シール部の合せ面がシールされ接着される。
【００２７】
好ましい態様の特徴において、図３に図示されていないが、第１の検出部で、シーリングテープが接合される直前の帯状包装積層材料の縁部の辺端を検出し、第２の検出部で、帯状包装積層材料の縁部に接合される直前のシーリングテープの辺端を検出し、矯正判定手段において、第１、第２の検出部の出力に基づいて、シーリングテープ及び／又は帯状包装積層材料の位置を計算して位置矯正を判定し、位置矯正処理手段が、矯正判定手段の判定結果に基づいて、シーリングテープ及び／又は帯状包装積層材料の位置を矯正する。
【００２８】
この発明による一実施例の包装充填装置の要部の概念ブロック図を図１に示す。
この実施例において、センサヘッド面が、矢印の方向に搬送される帯状包装積層材料１から一定の距離を置いて、シーリングテープ２が接合された帯状包装積層材料の縁部１ａの辺端を、固定位置から被う第１渦電流式変位センサ１６を有する。
渦電流式変位センサは、高周波磁界を利用し、センサヘッド内部のコイルに高周波電流を流して、高周波磁界を発生させる。この磁界内に測定対象物（金属）があると、電磁誘導作用によって、対象物表面に磁束の通過と垂直方向の渦電流が流れて、センサコイルのインピーダンスが変化する。渦電流式変位センサは、この現象による発振状態の変化により、距離を測定する。
更に詳しくは、対象物とセンサヘッドの距離が近くなるにつれ、発振の振幅は小さく、基準波形との位相ズレは大きくなり、この振幅と位相の変化を検出することにより、距離とほぼ比例した値が得られる方法である。
帯状包装積層材料１がアルミニウム箔を有し、シーリングテープ２がポリエチレン樹脂からなる。また、包装積層材料１から一定の距離を置いて設置される。従って、第１渦電流式変位センサ１６は、アルミニウム箔のみを測定対象にし、センサヘッド面に対向する金属面積の変化を、すなわち、センサヘッド面に対向する包装積層材料の面積、言い換えれば、包装積層材料の縁部１ａの辺端の変動を検知する。
【００２９】
この実施例において、図１に示すように、センサヘッド面が、第１渦電流式変位センサ１６の近傍であって、矢印の方向に搬送される帯状包装積層材料１から一定の距離を置いて、帯状包装積層材料中央部付近を、固定位置から被う第２渦電流式変位センサ１７を有する。
第２渦電流式変位センサ１７は、上記の第１渦電流式変位センサ１６とほぼ同じものであり、同様の作用機能を有する。第２渦電流式変位センサ１７は、帯状包装積層材料１のみを測定対象にし、センサヘッド面に対向するアルミニウム箔面積の変化を、すなわち、センサヘッド面に対向するアルミニウム箔の面積、言い換えれば、第１渦電流式変位センサの参照としての変動しない包装積層材料を検知する。
【００３０】
図４に、渦電流式変位センサの機能作用の説明を示す。
帯状包装積層材料１は、ポリエチレン樹脂外層１ｃ、アルミニウム箔層１d、及びポリエチレン樹脂内層１ｅからなる。ポリエチレン樹脂のシーリングテープ２は、包装積層材料の縁部１ａの辺端１ｂの内層側に接合される。渦電流式変位センサ１６、１７のセンサヘッドは、包装積層材料１から一定の距離、すなわち、アルミニウム箔層１dからの距離Ａを置いて設置される。従って、渦電流式変位センサ１６、１７は、アルミニウム箔のみを測定対象にし、センサヘッド面に対向する金属面積の変化を検知する。すなわち、第１渦電流式変位センサ１６は包装積層材料の縁部１ａの辺端の変動を検知する。第２渦電流式変位センサ１７は、第１渦電流式変位センサの参照としての変動しない包装積層材料を検知する。
【００３１】
この実施例において、図１に示すように、第１渦電流式変位センサ１６からの信号と第２渦電流式変位センサ１７からの信号とに基づいて帯状包装積層材料の縁部の位置を計測する位置計測手段１８とを有する。
第１渦電流式変位センサ１６からの信号は、包装積層材料の縁部の辺端１ｂの位置に対応する信号である。第２渦電流式変位センサ１７からの信号は、参照として用いる。位置計測手段１８は、包装積層材料の縁部１ａにシーリングテープ２が接合されていても、それに影響されず、帯状包装積層材料の縁部の辺端１ｂの位置を計測することができる。
【００３２】
この実施例において、渦電流式変位センサは、本来的には、金属物体表面とセンサの計測表面との距離を計量するためのものであるが、金属物体とセンサの計測面が一定の距離にある場合には、センサの計測面を金属物体が覆った面積比率のちがいにおいても有効な指示（変位）を計量することが可能である。
第１渦電流式変位センサ１６は、包装材料が基準位置にある状態において、計測面が半分包装材料で覆われる位置（縁部の辺端１ｂの位置）に設置する。好ましい態様において、センサの計測面と包装材料のアルミ面との距離を常に一定に保つ為、センサの先端に、スペーサなどのアタッチメントを設けることもできる。
第２渦電流式変位センサ１７は、包装材料が大きく蛇行した場合においても常に計測面が包装材料のアルミ面で覆われる位置に設置する。
これらセンサからの信号をアンプ１９、２０で増幅、補正することができる。アンプ１９からは第１渦電流式変位センサ１６の計量面が包装材料で覆われた量に対応する量の信号が出力される。また、アンプ１９、２０からは第２渦電流式変位センサ１７が計量している包装材料のアルミの厚さに応じた量の信号が出力される。位置計測手段１８は演算器とすることができる。。
【００３３】
この実施例において、帯状包装積層材料１の近傍の雰囲気温度を計測する温度センサ２１を有し、気温に対応する量の信号を得る。位置計測手段１８が、温度センサ２１からの信号と、第１渦電流式変位センサからの信号と第２渦電流式変位センサからの信号とに基づいて帯状包装積層材料の縁部の位置を計測する。
位置計測手段１８の演算器には、センサ周辺の気温を計量する温度計２１が接続されており、これらの信号を、１つの演算器１８で相関演算することによって、シーリングテープが付いた状態での包装材料の端位置を導き出し、計測結果とする。
【００３４】
渦電流式変位センサは有寿命部品ではないため、メンテナンスフリーであり、包装材料の紙粉、ほこり、水分、日光など、外乱が非金属であれば、影響を受けない利点を有する。
上記実施例で実証されるように、不都合を解決して、シーリングテープが包装材料の適正な位置に接合され、良好な縦シールを有する包装充填容器を得ることができる。
【００３５】
なお、本発明は前記実施の形態に限定されるものではなく、本発明の趣旨に基づいて種々変形させることが可能であり、それらを本発明の範囲から排除するものではない。
【産業上の利用可能性】
【００３６】
この発明の包装充填装置によって、牛乳、ジュース、ミネラルウォーターなどの飲料、流動食品などの包装容器を製造することができる。
【図面の簡単な説明】
【００３７】
【図１】この発明による一実施例の包装充填装置の要部の概念ブロック図である。
【図２】実施例の包装充填装置を示す概略斜視図である。
【図３】シーリングテープ貼着装置を示す包装充填装置の部分図である。
【図４】実施例の動作を説明する包装充填装置の概念部分図である。
【符号の説明】
【００３８】
１    包装積層材料
２    シーリングテープ
１６    第１渦電流式変位センサ
１７    第２渦電流式変位センサ
【図１】
2008143561.tif 000003
【図２】
2008143561.tif 000004
【図３】
2008143561.tif 000005
【図４】
2008143561.tif 000006